(57)【特許請求の範囲】
【請求項１】
軒樋の前後の係止受部に係止する吊金具本体と、この吊金具本体を建物の壁面に固定支持する支持部材とを備えた軒樋用吊金具において、前記支持部材は、建物の壁面に取り付ける取付部と、前記取付部から前方に突出して前記金具本体を支持する支持体と、この支持体に設けられ吊金具本体を前後方向にスライド可能に保持するブラケットと、前記吊金具本体の前後方向に並設した複数の凹凸部と、前記凹凸部に係止して前記支持体に前記吊金具本体を固定する固定係止部材と、この固定係止部材を前記支持体に固定する固定手段とを備え、
前記固定係止部材は、前記支持体の上面に前記固定手段により固定される固定部と、この固定部の前側から下方に垂設し、下端が前記凹凸部に係止する垂設部とを一体に備えることを特徴とする軒樋用吊金具。
【請求項２】
前記固定係止部材を補強する補強部材を備え、この補強部材は、前記支持体に固定される固定部と、前記垂設部の前面に配置される補強垂設部とを備えることを特徴とする請求項１記載の軒樋用吊金具。
【請求項３】
前記取付部と前記支持体との角度を調整する角度調整機構を備え、この角度調整機構は前記支持体の後部に設けたリング部と、このリング部の外周に設けた外面凹凸部と、前記取付部に設けられ前記リング部に外嵌する外嵌部と、この外嵌部の内面に設けられ前記外面凹凸部に係合する内面凹凸部とを備えることを特徴とする請求項１又は２記載の軒樋用吊金具。
【請求項４】
前記リング部内に補強材を設けたことを特徴とする請求項３記載の軒樋用吊金具。
【請求項５】
前記補強材が硬化性充填材であることを特徴とする請求項４記載の軒樋用吊金具。
【発明の詳細な説明】
【技術分野】
【０００１】
本発明は、建物に軒樋を取り付ける軒樋用吊金具に関する。
【背景技術】
【０００２】
従来、この種のものとして、軒樋の前後端の耳部を内側から係止する内吊金具本体と、前記内吊金具本体を建物の壁面に固定支持するための支持機構とを備え、前記支持機構は、建物の壁面に固定される固定部と、前記固定部から前方に突出して前記内吊金具本体を支持する支持アームと、前記支持アームの中央から前端にかけて前記内吊金具本体を下側から抱え込むようにして前後方向に出入り自在に保持する断面コ字形のブラケットと、前記内吊金具本体を前後方向に出入り自在に移動させる移動機構と、前記移動機構による移動を阻止するロック機構とが設けられ、前記移動機構は、前記内吊金具本体の前後方向に形成されたラックと、前記ラックに噛合するように前記ブラケットの前後方向に間隔をおいて配置され、前記ブラケットに回転自在に軸支された複数のピニオンギヤとから構成され、前記ロック機構は、前記複数のピニオンギヤのうち、少なくともいずれかのピニオンギヤの軸部に押し付けて摩擦力により前記軸部の回転を阻止し、かつ、前記軸部への押し付ける力の解除により前記軸部の回転を許容するロック部が設けられ、さらに、前記支持機構は、固定部に対する支持アームの張り出し角度を調整する調整機構を有し、前記調整機構は、前記固定部に形成された断面Ｃ字形の軸受け部と、前記支持アームの後端に形成され前記軸受け部に回転自在に嵌合する回転軸部と、前記支持アームを任意の張り出し角度で前記回転軸部を前記軸受け部に固定する固定手段とを備えたものが提案されている（例えば特許文献１）。
【先行技術文献】
【特許文献】
【０００３】
【特許文献１】特開２０１０−１５０８３７号公報
【発明の概要】
【発明が解決しようとする課題】
【０００４】
上記軒樋用吊金具では、内吊金具本体を支持アームに固定するために、複数のピニオンギヤ，このピニオンギヤを固定するためのロック部など複数の複雑な機構が必要になるという問題がある。
【０００５】
また、固定部は、支持アームの後端に形成された回転軸部を回転自在に把持する軸受け部を有し、回転軸部と軸受け部とにより、固定部に対して支持アームの角度を調整した後、ネジなどにより固定することができるが、実際上、現場で角度を正しく設定するには目印がなく、手間が掛かることが予想される。
【０００６】
さらに、支持アームの後端に設けた回転軸部は中空構造であるから、支持アームに大きな荷重が加わると、回転軸部に大きな応力が加わる虞がある。
【０００７】
そこで、本発明は上記した問題点に鑑み、吊金具本体の位置調整が容易な軒樋用吊金具を提供することを目的とし、加えて、吊金具本体の角度調整も容易な軒樋用吊金具を提供することを目的とする。
【課題を解決するための手段】
【０００８】
請求項１に係る発明は、軒樋の前後の係止受部に係止する吊金具本体と、この吊金具本体を建物の壁面に固定支持する支持部材とを備えた軒樋用吊金具において、前記支持部材は、建物の壁面に取り付ける取付部と、前記取付部から前方に突出して前記金具本体を支持する支持体と、この支持体に設けられ吊金具本体を前後方向にスライド可能に保持するブラケットと、前記吊金具本体の前後方向に並設した複数の凹凸部と、前記凹凸部に係止して前記支持体に前記吊金具本体を固定する固定係止部材と、この固定係止部材を前記支持体に固定する固定手段とを備えることを特徴とする。
【０００９】
また、請求項１に係る発明は、前記固定係止部材は、前記支持体の上面に前記固定手段により固定される固定部と、この固定部の前側から下方に垂設し、下端が前記凹凸部に係止する垂設部とを一体に備えることを特徴とする。
【００１０】
また、請求項２に係る発明は、前記固定係止部材を補強する補強部材を備え、この補強部材は、前記支持体に固定される固定部と、前記垂設部の前面に配置される補強垂設部とを備えることを特徴とする。
【００１１】
また、請求項３に係る発明は、前記取付部と前記支持体との角度を調整する角度調整機構を備え、この角度調整機構は前記支持体の後部に設けたリング部と、このリング部の外周に設けた外面凹凸部と、前記取付部に設けられ前記リング部に外嵌する外嵌部と、この外嵌部の内面に設けられ前記外面凹凸部に係合する内面凹凸部とを備えることを特徴とする。
【００１２】
また、請求項４に係る発明は、前記リング部内に補強材を設けたことを特徴とする。
【００１３】
また、請求項５に係る発明は、前記補強材が硬化性充填材であることを特徴とする。
【発明の効果】
【００１４】
請求項１の構成によれば、軒樋と壁面との間隔に合わせて吊金具本体をスライドして位置決めした状態で、固定係止部材を凹凸部に係止し、固定手段によりその固定係止部材を支持体に固定することにより、支持体に吊金具本体を固定することができる。したがって、複雑な機構が不要で、固定手段により固定係止部材を固定するだけで、簡単に吊金具本体を固定することができる。
【００１５】
また、請求項１の構成によれば、垂設部の下端を凹凸部に係止し、固定部を固定手段により支持体に固定することにより、吊金具本体を固定することができる。
【００１６】
また、請求項２の構成によれば、補強部材を備えることにより、凹凸部に垂設部が係止した状態で、前後両方からの力に対して、吊金具本体を確実に固定することができる。
【００１７】
また、請求項３の構成によれば、外面凹凸部と内面凹凸部との係合位置により取付部と支持体とを所定の角度に調整することができる。
【００１８】
また、請求項４の構成によれば、補強材によりリング部の変形を防止できる。
【００１９】
また、請求項５の構成によれば、硬化性充填材を充填することによりリング部の変形を防止できる。
【図面の簡単な説明】
【００２０】
【図１】本発明の実施例１を示す吊金具の斜視図である。
【図２】同上、吊金具の分解斜視図である。
【図３】同上、軒樋の側面図である。
【図４】同上、吊金具の側面図である。
【図５】同上、一部を分解した吊金具の側面図である。
【図６】同上、凹凸部の拡大断面図である。
【図７】同上、吊金具本体のスライド状態を説明する側面図である。
【図８】同上、吊金具による軒樋の取付状態を示す側面図である。
【発明を実施するための形態】
【００２１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる軒樋用吊金具を採用することにより、従来にない軒樋用吊金具が得られ、その軒樋用吊金具を夫々記述する。
【実施例１】
【００２２】
以下、本発明の軒樋用吊金具を添付図面を参照して説明する。図１〜図８は、本発明の実施例１を示し、同図に示すように、軒樋用吊金具１は、建物２の屋根３の軒先に軒樋４を取り付けるものである。
【００２３】
図３に示すように、前記軒樋４は、底板部１１と前後の側板部１２，１３を備え、前側の側板部１２の上部には、上下で内側に突出した突出片１４，１５の間に前側係止受部１６が設けられ、後側の側板部１３の上部には、上下で内側に突出した突出片１７，１８の間に後側係止受部１９が設けられている。尚、前側の突出片１４，１５の間隔は後側の突出片１７，１８の間隔より広く形成されている。また、軒樋４はアルミニウム合金の押し出し成形により、図に示す断面形状が長さ方向に連続する。
【００２４】
前記軒樋用吊部１は、前記軒樋４に係止する吊金具本体２１と、この吊金具本体２１を建物２の壁面５に固定支持する支持部材２２とを備える。前記吊金具本体２１は、長さ方向に一定幅で、上部が開口した略コ字型をなし、その前側に前記前側係止受部１６内に係止する前側係止部２３を備えると共に、その後側に前記後側係止受部１９内に係止する後側係止部２４を備える。前記前側係止部２３の先端２３Ｓは斜め後上向きをなし、その先端２３Ｓが係止する抜け止め部１４Ｎが、前記突出片１４の内端から下方に垂設されている。また、後側係止部２４の先端２４Ｓは斜め後上向きをなし、先端側に後斜め上向きの傾斜面２４Ｍを有し、その先端２４Ｓが前記側板部１３と突出片１７との内側角部に係止する。また、前記突出片１７の先端縁１７Ｆは前記傾斜面２４Ｍに対応して斜めに形成されている。尚、後上の突出片１７の前後幅は、前記先端２３Ｓの厚さの３倍以下で、他の突出片１４，１５，１８に比べて幅狭に形成されている。
【００２５】
したがって、吊金具本体２１の前側を低くして、前側係止部２３を前側係止受部１６内に挿入し、吊金具本体２１の後側を押し下げると、先端縁２３Ｓに傾斜面２４Ｍが当たり、軒樋４の弾性により側板部１２，１３間が開き、突出片１７を先端２４Ｓが通過して、後側係止部２４が後側係止受部１９内に係止し、吊金具本体２１の前後が軒樋４に係止する。
【００２６】
また、前記吊金具本体２１の中央には平板部２６が設けられ、この平板部２６の上面には、凹凸部２７が連続形成され、この凹凸部２７は上面が平坦な山形形状の凹部２７Ａと逆山形形状の凸部２７Ｂが交互に形成されている。尚、凹凸部２７はラック形状をなす。
【００２７】
前記支持部材２２は、建物２の壁面５に固定支持する取付部３１と、この取付部３１に角度調整可能に連結される支持体３２とを備える。前記取付部３１は、建物２の壁面５に複数のアンカー６により固定する取付板３３と、この取付板３３に一体に設けた外嵌部たる切欠きリング部３４とを一体に備え、この切欠きリング部３４は前側が開口し、半円より大きく、内周全体に断面略三角形の内面凹凸部３５が形成されている。尚、取付板３３は、切欠きリング部３４より左右方向（軒樋長さ方向）幅広に形成され、また、支持部材２２は、取付板３３を除いて、左右方向ほぼ一定幅に形成され、同一断面が左右方向に連続し、アルミニウム合金の押し出し成形されている。前記支持体３２の後側には、前記切欠きリング部３４に内嵌するリング部３６が一体に設けられ、このリング部３６の外周全体に、前記内面凹凸部３５に係合する外面凹凸部３７が形成されている。また、前記リング部３６の内面にはほぼ１８０度の位置に断面略コ字状をなすビスホール３６Ａ，３６Ａがそれぞれ設けられている。また、前記ビスホール３６Ａ，３６Ａに対応して、前記切欠きリング部３４の外周には、開口側に肉厚部３４Ａがそれぞれ形成されている。
【００２８】
また、切欠きリング部３４とリング部３６の左右方向の長さ（軸方向の長さ）はほぼ等しく、それら切欠きリング部３４とリング部３６の両側には円板状の蓋板３８，３８が取り付けられ、この蓋板３８は、該蓋板３８の透孔に挿通したビス３９を、前記ビスホール３６Ａに螺合することにより固定される。
【００２９】
そして、取付部３１と支持体３２との角度に合わせて、相互凹凸部３５，３７を合わせ、左右方向から切欠きリング部３４内にリング部３６をスライド挿入し、ビス３９Ａを肉厚部３４Ａの透孔に挿通すると共にリング部３６に螺着する。このようにしてビス３９Ａと凹凸部３５，３７同士の嵌合により、リング部３６と切欠きリング部３４とが固定される。
【００３０】
さらに、切欠きリング部３４とリング部３６の左右一側を前記蓋板３８により塞ぎ、リング部３６内に樹脂製接着材などの硬化性充填材４１を充填し、この充填材４１が所定の経時的に硬度に硬化することにより、補強材となる。また、切欠きリング部３４とリング部３６の左右他側には蓋板３８をビス３９により固定する。このビス３９は蓋板３８の透孔に挿通されると共に、前記ビスホール３６Ａに螺着される。このように内部の充填材４１によりリング部３６が補強され、中空の場合に比べて、強度の向上を図ることができ、垂直荷重や風荷重に対して優れた強度が得られる。
【００３１】
そして、前記切欠きリング部３４とリング部３６により、取付部３１と支持体３２との角度を調整する角度調整機構４２を構成している。
【００３２】
図５に示すように、前記支持体３２の前側下部には、前記吊金具本体２１の凹凸面２７に摺動する板状の摺動部５１が設けられ、この摺動部５１と前記リング部３６との間には、斜め前側斜め下向きの傾斜上面部５２と、その傾斜上面部５２と前記摺動部５１とを連結する傾斜前面部５３とを有し、前記傾斜上面部５２は水平に対して４５度以下の角度をなし、前記傾斜前面部５３は水平に対して６０度以上、９０度以下であり、傾斜上面部５２と傾斜前面部５３との内角は９０度以上である。また、前記支持体３２は複数の空洞部５４を有する中空構造をなす。さらに、前記摺動部５１の下面には、前後方向に間隔を置いて複数の凸部５５が設けられ、前記凹凸部２７との摺動性を確保している。
【００３３】
また、前記摺動部５１の前後上面には、ビスホール５６が設けられ、これらビスホール５６に対応する透孔５６Ａを、上部が開口したコ字形のブラケット５７の両側板５７Ａ，５７Ａに設け、これら両側板５７Ａ，５７Ａの下部間に底板５７Ｂが設けられている。そして、前記摺動部５１を前記吊金具本体２１に重ねた状態で、前記ブラケット５７を下から外嵌し、透孔５６Ａにビス５８を挿通すると共に、ビス５８をビスホール５６に螺着し、これにより摺動部５１に対して吊金具本体２１を前後方向スライド可能に保持している。
【００３４】
尚、前記切欠きリング部３４及び支持体３２は、軒樋４はアルミニウム合金の押し出し成形により形成される。
【００３５】
固定係止部材６１は、前記凹凸部２７に係止して前記支持体３２に前記吊金具本体２１を固定する。前記固定係止部材６１は、鋼製の板材からなり、前記支持体３２に固定する固定部６２と、この固定部６２の前側から下方に垂設した垂設部６３とを一体に備え、この垂設部６３は前記傾斜前面部５３に沿って固定され、その垂設部６３の下端には前記凹凸部２７の凹部２７Ａに係止する係止部６３Ａが設けられている。そして、前記固定部６２には透孔６２Ａが穿設され、前記傾斜上面部５２に雌螺子孔５２Ａを設け、ワッシャ６４を備えた蝶ねじ６５を、前記透孔６２Ａに挿通すると共に雌螺子孔５２Ａに螺合することにより、支持体３２に固定係止部材６１を固定し、係止部６３Ａが凹凸部２７に係止する。尚、前記垂設部６３は、前記平板部２６に対してほぼ垂直に用いられる。また、固定部６２と垂設部６３の角度は、９０度以上、１２０度以下である。
【００３６】
また、前記固定係止部材６１を補強する補強部材７１を備え、この補強部材７１は、固定係止部材６１とほぼ同形であって、前記固定係止部材６１に重ねて用いられ、前記支持体３２に固定される固定部７２と、前記垂設部６３の前面に配置される補強垂設部７３とを一体に備え、固定係止部材６１と同様に、鋼製の板材を屈曲形成してなり、前記固定部７２には前記蝶ねじ６５を挿通する透孔７２Ａが穿設され、前記補強部材７１は前記固定係止部材６１に重ね合わせて前記支持体３２に固定される。この固定状態で前記補強垂設部７３の下端７３Ａは、前記凹凸部２７の凸部２７Ｂに当接する。
【００３７】
したがって、蝶ねじ６５を緩めると、図７に示すように、支持部材２２に対して吊金具本体２１を前後にスライドすることができ、壁面５の軒桶４の取付位置との間隔に吊金具本体２１を合わせ、蝶ねじ６５を締めると、固定係止部材６１の係止部６３Ａが凹部２７Ａに係止し、さらに、補強部材７１が固定係止部材６１の垂設部６３を補強する。
【００３８】
補強部材７１は必要に応じて用いられるが、補強部材７１を用いることにより、吊金具本体２１を前側に動かそうとする力に対して、補強部材７１により垂設部６３が前面部５３から離れることを防止できるから、強固な固定構造が得られる。
【００３９】
このように本実施例では、請求項１に対応して、軒樋４の前後の係止受部１６，１９に係止する吊金具本体２１と、この吊金具本体２１を建物２の壁面５に固定支持する支持部材２２とを備えた軒樋用吊金具において、支持部材２２は、建物２の壁面５に取り付ける取付部３１と、取付部３１から前方に突出して金具本体２１を支持する支持体３２と、この支持体３２に設けられ吊金具本体２１を前後方向にスライド可能に保持するブラケット５７と、吊金具本体２１の前後方向に並設した複数の凹凸部２７と、凹凸部２７に係止して支持体３２に吊金具本体２１を固定する固定係止部材６１と、この固定係止部材６１を支持体３２に固定する固定手段たる蝶ねじ６５とを備えるから、軒樋４と壁面５との間隔に合わせて吊金具本体２１をスライドして位置決めした状態で、固定係止部材６１を凹凸部２７に係止し、蝶ねじ６５によりその固定係止部材６１を支持体３２に固定することにより、支持体３２に吊金具本体２１を固定することができる。したがって、複雑な機構が不要で、蝶ねじ６５により固定係止部材６１を固定するだけで、簡単に吊金具本体２１を固定することができる。
【００４０】
また、このように本実施例では、請求項１に対応して、固定係止部材６１は、支持体３２の上面に固定手段たる蝶ねじ６５により固定される固定部６２と、この固定部６２の前側から下方に垂設し、下端６３Ａが凹凸部２７に係止する垂設部６３とを一体に備えるから、垂設部６３の下端６３Ａを凹凸部２７に係止し、固定部６２を蝶ねじ６５により支持体３２に固定することにより、吊金具本体２１を固定することができる。
【００４１】
また、このように本実施例では、請求項２に対応して、固定係止部材６１を補強する補強部材７１を備え、この補強部材７１は、支持体３２に固定される固定部７２と、垂設部６３の前面に配置される補強垂設部７３とを備えるから、凹凸部２７に垂設部６３が係止した状態で、前後両方からの力に対して、吊金具本体２１を確実に固定することができる。
【００４２】
また、このように本実施例では、請求項３に対応して、取付部３１と支持体３２との角度を調整する角度調整機構４２を備え、この角度調整機構４２は支持体３２の後部に設けたリング部３６と、このリング部３６の外周に設けた外面凹凸部３７と、取付部３１に設けられリング部３６に外嵌する外嵌部たる切欠きリング部３４と、この切欠きリング部３４の内面に設けられ外面凹凸部３６に係合する内面凹凸部３５とを備えるから、外面凹凸部３７と内面凹凸部３５との係合位置により取付部３１と支持体３２とを所定の角度に調整することができる。
【００４３】
また、このように本実施例では、請求項４に対応して、リング部３６内に補強材たる硬化性充填材４１を設けたから、リング部の変形を防止できる。
【００４４】
また、このように本実施例では、請求項５に対応して、補強材が硬化性充填材４１であるから、硬化性充填材４１を充填することによりリング部３６の変形を防止できる。
【００４５】
また、実施例上の効果として、固定手段が、傾斜上面部５２の雌螺子孔５２Ａに螺着する蝶ねじ６４であるから、蝶ねじ６４を操作して固定係止部材６１を簡便に固定及び固定解除することができる。また、摺動部５１の下面に凹凸部２７の間隔より広い間隔で凸部５５を設けたから、凹凸部２７の凸部２７Ａとの摺動性を確保することができる。
【００４６】
尚、本発明は、本実施例に限定されるものではなく、本発明の要旨の範囲内で種々の変形実施が可能である。例えば、軒樋及び吊金具は、アルミニウム合金以外でも、プラスチックや金属など各種の材料のものを用いることができる。また、固定部材として蝶ねじを用いたが固定部材には各種のものを用いることができ、固定ねじ部材として、蝶ねじ以外にボルトや皿ねじなどを用いてもよい。さらに、取付部を２本のアンカーにより壁面に固定したが、４本以上のアンカーを用いてもよい。また、固定部材としては、リング部内に十字枠などを入れて、リング部の変形を防止するようにしてもよい。
【符号の説明】
【００４７】
１  雨樋用吊金具
２  建物
３  屋根
４  軒樋
５  壁面
１６  前側係止受部
１９  後側係止受部
２１  吊金具本体
２２  支持部材
２３  前側係止部
２４  後側係止部
２７  凹凸部
３１  取付部
３２  支持体
３３  取付板
３４  切欠きリング部（外嵌部）
３５  内面凹凸部
３６  リング部
３７  外面凹凸部
４１  硬化性充填材（補強材）
４２  角度調整機構
６１  固定係止部材
６２  固定部
６３  垂設部
６３Ａ  下端
６５  蝶ねじ（固定部材）
７１  補強部材
７２  固定部
７３  垂設部
【図１】
0005433532.tif 000002
【図２】
0005433532.tif 000003
【図３】
0005433532.tif 000004
【図４】
0005433532.tif 000005
【図５】
0005433532.tif 000006
【図６】
0005433532.tif 000007
【図７】
0005433532.tif 000008
【図８】
0005433532.tif 000009